(57)【要約】      （修正有）【課題】保護パッチを家畜の乳頭に容易且つ迅速に貼着することを可能にする貼着補助具と、貼着する方法を提供する。【解決手段】貼着補助具２は、一対の操作片４ａ、４ｂと一対の押付片６ａ、６ｂとを具備する。操作片４ａ、４ｂの各々の基端は相互に旋回自在に連結されている。押付片６ａ、６ｂの各々は、片端が操作片４ａ、４ｂの各々の自由端に、夫々、旋回自在に連結され、他端が相互に旋回自在に連結されている。操作片４ａ、４ｂの各々の自由端部の幅方向中央部には自由端側が開放された第一の開口１８ａ、１８ｂが形成されていると共に、押付片６ａ、６ｂの各々の幅方向中央部には片端側が開放された第二の開口２４ａ、２４ｂが形成されている。【選択図】図１
2020005513.tif 000002
【特許請求の範囲】
【請求項１】
家畜の乳頭口を保護するために家畜の乳頭に保護パッチを貼着するための貼着補助具にして、
一対の操作片と一対の押付片とを具備し、
該操作片の各々の基端は相互に旋回自在に連結されており、
該押付片の各々は、片端が該操作片の各々の自由端に、夫々、旋回自在に連結され、他端が相互に旋回自在に連結されており、
該操作片の各々の自由端部の幅方向中央部には該自由端側が開放された第一の開口が形成されていると共に、該押付片の各々の幅方向中央部には該片端側が開放された第二の開口が形成されている、
ことを特徴とする貼着補助具。
【請求項２】
該操作片の各々に形成されている該第一の開口と該押付片の各々に形成されている該第二の開口とは同一寸法及び同一形状であり、該操作片間に該押付片を位置せしめて該操作片及び該押付片を相互に重ね合わせると、該第一の開口と該第第二の開口が整合して位置する、請求項１記載の貼着補助具。
【請求項３】
該操作片及び該押付片は合成樹脂から形成されている、請求項１又は２記載の貼着補助具。
【請求項４】
該押付片の各々には、該第二の開口を少なくとも部分的に塞ぐ、柔軟なバックアップシートが配設されている、請求項１から３までのいずれかに記載の貼着補助具。
【請求項５】
該バックアップシートはシリコンゴムシートから形成されている、請求項４記載の貼着補助具。
【請求項６】
弾性シート、該弾性シートの片面に積層された粘着層、及び該弾性シートの他面に剥離自在に積層された保護シートを含む、家畜の乳頭口を保護するための保護パッチを家畜の乳頭に貼着する保護パッチ貼着方法にして、
請求項１から５までのいずれかに記載の貼着補助具を準備する準備工程、
該貼着補助具を、該操作片の各々が該基端から上方に向かって相互に離隔する方向に傾斜して延在し、該押付片の各々が該操作片の該自由端に連結された該片端から該他端に向かって水平に或いは下方に傾斜して延在する状態に設定する設定工程と、
該一対の押付片上に、該粘着層を上方に向けた状態で該保護パッチを載置する載置工程と、
該一対の押付片上に載置されている該保護パッチの中央部を家畜の乳頭の先端に押し付け、次いで、該操作片の各々を該自由端が相互に接近する方向に旋回せしめ、該保護パッチを少なくとも部分的に家畜の乳頭の周囲に押し付けて貼着する貼着工程と、
該操作片の各々を該自由端が相互に離隔する方向に旋回せしめると共に家畜の乳頭に貼着されている該保護パッチから離隔する貼着補助具離隔工程と、
家畜の乳頭に貼着されている該保護パッチの該保護シートを該弾性シートから剥離する保護シート剥離工程と、
を含むことを特徴とする保護パッチ貼着方法。
【発明の詳細な説明】
【技術分野】
【０００１】
本発明は、家畜の乳頭口を保護するために家畜の乳頭に保護パッチを貼着するための貼着補助具、及びかかる貼着補助具を使用して家畜の乳頭に保護パッチを貼着する方法に関する。
【背景技術】
【０００２】
下記特許文献１には、家畜が乳房炎に罹患するのを予防するために家畜の乳頭における乳頭口を含む領域に貼着する保護パッチが開示されている。かかる保護パッチは、弾性シート、この弾性シートの片面に積層された粘着層及び弾性シートの他面に剥離自在に積層された保護シートを含んでいる。通常、粘着層は剥離紙によって覆われている。かような保護パッチを家畜の乳頭に貼着する一様式においては、最初に剥離紙を半分だけ粘着層から剥離し、次いで露呈された粘着層を乳頭の片側面に貼着し、次に剥離紙を粘着層から完全に剥離して新たに露呈された粘着層を乳頭の他面側に貼着し、しかる後に保護パッチの全体を手で包み込んで乳頭を握って乳頭に保護パッチの全体を貼着し、そして弾性シートから保護シート剥離する。
【先行技術文献】
【特許文献】
【０００３】
【特許文献１】再公表特許ＷＯ２０１７／１５０２０３
【発明の概要】
【発明が解決しようとする課題】
【０００４】
而して、上記のとおりの保護パッチを例えば上述したとおりの様式に従って家畜の乳頭に所要とおりに貼着することは、弾性シートが薄くて著しく柔軟であると共に粘着層の密着性が良好である等に起因して、必ずしも容易ではなく且つ比較的煩雑である。
【０００５】
本発明は、上記事実に鑑みてなされたものであり、その主たる技術的課題は、上記のとおりの保護パッチを家畜の乳頭に容易且つ迅速に貼着することを可能にする、貼着補助具を提供することである。
【０００６】
本発明の他の技術的課題は、貼着補助具を使用して家畜の乳頭に上記のとおりの保護パッチを容易且つ迅速に貼着する方法を提供することである。
【課題を解決するための手段】
【０００７】
本発明の一局面によれば、上記主たる技術的課題を達成する貼着補助具として、
家畜の乳頭口を保護するために家畜の乳頭に保護パッチを貼着するための貼着補助具にして、
一対の操作片と一対の押付片とを具備し、
該操作片の各々の基端は相互に旋回自在に連結されており、
該押付片の各々は、片端が該操作片の各々の自由端に、夫々、旋回自在に連結され、他端が相互に旋回自在に連結されており、
該操作片の各々の自由端部の幅方向中央部には該自由端側が開放された第一の開口が形成されていると共に、該押付片の各々の幅方向中央部には該片端側が開放された第二の開口が形成されている、
ことを特徴とする貼着補助具が提供される。
【０００８】
好ましくは、該操作片の各々に形成されている該第一の開口と該押付片の各々に形成されている該第二の開口とは同一寸法及び同一形状であり、該操作片間に該押付片を位置せしめて該操作片及び該押付片を相互に重ね合わせると、該第一の開口と該第二の開口が整合して位置する。該操作片及び該押付片は合成樹脂から形成されているのが好都合である。該押付片の各々には、該第二の開口を少なくとも部分的に塞ぐ、柔軟なバックアップシートが配設されているのが好適である。該バックアップシートはシリコンゴムシートから形成されているのが望ましい。
【０００９】
本発明の他の局面によれば、上記他の技術的課題を解決する保護パッチ貼着方法として、
弾性シート、該弾性シートの片面に積層された粘着層、及び該弾性シートの他面に剥離自在に積層された保護シートを含む、家畜の乳頭口を保護するための保護パッチを家畜の乳頭に貼着する保護パッチ貼着方法にして、
請求項１から６までのいずれかに記載の貼着補助具を準備する準備工程、
該貼着補助具を、該操作片の各々が該基端から上方に向かって相互に離隔する方向に傾斜して延在し、該押付片の各々が該操作片の該自由端に連結された該片端から該他端に向かって水平に或いは下方に傾斜して延在する状態に設定する設定工程と、
該一対の押付片上に、該粘着層を上方に向けた状態で該保護パッチを載置する載置工程と、
該一対の押付片上に載置されている該保護パッチの中央部を家畜の乳頭の先端に押し付け、次いで、該操作片の各々を該自由端が相互に接近する方向に旋回せしめ、該保護パッチを少なくとも部分的に家畜の乳頭の周囲に押し付けて貼着する貼着工程と、
該操作片の各々を該自由端が相互に離隔する方向に旋回せしめると共に家畜の乳頭に貼着されている該保護パッチから離隔する貼着補助具離隔工程と、
家畜の乳頭に貼着されている該保護パッチの該保護シートを該弾性シートから剥離する保護シート剥離工程と、
を含むことを特徴とする保護パッチ貼着方法が提供される。
【発明の効果】
【００１０】
本発明の貼着補助具を使用して、本発明の保護パッチ貼着方法を遂行すれば、容易且つ迅速に家畜の乳頭における乳頭口を含む領域に保護パッチを所要とおりに貼着することができる。
【図面の簡単な説明】
【００１１】
【図１】本発明に従って構成された貼着補助具の好適実施形態を示す斜面図。
【図２】図１に示す貼着補助具の正面図。
【図３】図１に示す貼着補助具の側面図。
【図４】図１に示す貼着補助具の平面図。
【図５】図１に示す貼着補助具の底面図。
【図６】図１に示す貼着補助具に使用されている締結具を示す分解側面図。
【図７】図１に示す貼着補助具に押付片を示す分解斜面図。
【図８】保護パッチの典型例を示す斜面図。
【図９】図７に示す保護パッチの断面図。
【図１０】図１に示す貼着補助具を使用して家畜の乳頭口に保護パッチを貼着する方法における載置工程を示す斜面図。
【図１１】図１に示す貼着補助具を使用して家畜の乳頭口に保護パッチを貼着する方法における貼着工程を示す斜面図。
【図１２】図１に示す貼着補助具を使用して家畜の乳頭口に保護パッチを貼着する方法における貼着補助具離隔工程を示す斜面図。
【図１３】図１に示す貼着補助具を使用して家畜の乳頭口に保護パッチを貼着する方法における保護シート剥離工程を示す斜面図。
【発明を実施するための形態】
【００１２】
以下、添付図面を参照して、本発明の貼着補助具の好適実施形態について詳細に説明し、更に上記好適実施形態を使用して家畜の乳頭に保護パッチを貼着する本発明の保護パッチ貼着方法の好適実施形態について詳細に説明する。
【００１３】
図１と共に図２乃至図５を参照して説明すると、全体を番号２で示す本発明に従って構成された貼着補助具は、一対の操作片４ａ及び４ｂと一対の押付片６ａ及び６ｂとを具備している。操作片４ａ及び４ｂ並びに押付片６ａ及び６ｂは、特に制限されることなく木片、紙、金属及び／又は高分子材料（合成樹脂）から形成することができるが、射出成形又は３Ｄプリンターによるプリント成形等によって容易に形成することができる点から、高分子材料から形成するのが好ましい。特に好適な高分子材料としては、ポリオレフィン樹脂、塩化ビニル樹脂、ポリエステル樹脂、ナイロン樹脂、ＡＢＳ樹脂（アクリロニトリルブタジエンスチレン）を挙げることができる。
【００１４】
図示の実施形態における一対の操作片４ａ及び４ｂの各々は、平坦な板状片である主部８ａ及び８ｂと主部８ａ及び８ｂの下端から突出する基端部１０ａ及び１０ｂを含んでいる。基端部１０ａ及び１０ｂは、特にそれに制限されるものではないが、操作片４ａ及び４ｂ自体の成形の容易性及び組み立ての容易性等の点から、円形板形状であるのが好ましい。操作片４ａ及び４ｂの主部８ａ及び８ｂの延在方向と基端部１０ａ及び１０ｂの延在方向とは直交している。図３を参照することによって明確に理解される如く、主部８ａに対して基端部１０ａの中心は図３において幾分右方に変位し、主部８ｂに対して基端部１０ｂの中心は図３において幾分左方に変位している。また、図３及び図５から明確に理解されるとおり、主部８ａから突出する基端部１０ａは主部８ａの長手方向中心軸線に対して図３及び図５において右方に幾分変位されており、主部８ｂから突出する基端部１０ｂは主部８ｂの長手方向中心軸線に対して図３及び図５において左方に幾分変位されており、基端部１０ａと基端部１０ｂとを相互に重ね合わせると、主部８ａと主部８ｂとが整合して位置せしめられる。基端部１０ａと基端部１０ｂとは、図３において左右方向に延びる旋回中心軸線１２を中心として旋回自在に連結されている。更に詳述すると、基端部１０ａ及び１０ｂの中央部には円形孔（図示していない）が形成されており、これらの孔には頭部１４−１及び軸部１４−２を有する軸部材１４（図６）の軸部１４−２が挿通され、軸部１４−２の突出端部には嵌合凹部１６−１が形成されている止め具１６が加圧被嵌され、かくして基端部１０ａと基端部１０ｂとが相互に旋回自在に連結される。所望ならば、軸部１４−２の周囲に適宜の形態のばね（図示していない）を配設し、操作片４ａと操作片４ｂとを図２に図示する状態（この状態については後に更に言及する）に弾性的に偏倚することもできる。操作片４ａ及び４ｂの主部８ａ及び８ｂは、矩形状の上部と略半円形状の下部とを有する。操作片４ａ及び４ｂの自由端部、即ち主部８ａ及び８ｂの上端部における幅方向（図３において左右方向）中央部には、自由端側が開放された開口（第一の開口）１８ａ及び１８ｂが形成されている。図示の実施形態における開口１８ａ及び１８ｂは略矩形状であるが、その上端部以外は下方に向かって幅が若干ではあるが漸次低減する逆台形状である。主部８ａの上端における開口１８ａの両側部には、図４において上方に突出する連結部２０ａが付設され、同様に主部８ｂの上端おける開口１８ｂの両側部には、図４において下方に突出する連結部２０ｂが形成されている。連結部２０ａ及び２０ｂには図４において左右方向に貫通する孔（図示していない）が形成されている。操作片４ａと操作片４ｂとは、基端部１０ａ及び基端部１０ｂを除き実質上同一寸法同一形状であるのが好都合である。
【００１５】
図１乃至図４と共に図７（図７には一方の押付片６ａのみを図示し、押付片６ａと線対称形状であり且つ実質上同一寸法である押付片６ｂの図示を省略している）を参照して説明を続けると、一対の押付片６ａ及び６ｂの各々は、後述する開口を含めて全体として矩形状である主部２２ａ及び２２ｂ（図２、図５及び図７）を有する。主部２２ａ及び２２ｂの幅方向中央部には、片端側（主部２２ａにおいては図４において上端側、主部２２ｂにおいては図４において下端側）が開放された開口（第二の開口）２４ａ及び２４ｂが形成されている。かかる開口２４ａ及び２４ｂは、上記操作片４ａ及び４ｂに形成されている上記開口１８ａ及び１８ｂと同一寸法及び同一形状であるのが好都合である（図示の実施形態においては、厳密に言えば、上述したとおり上記開口１８ａ及び１８ｂにおいては上端部においては幅方向寸法が一定であるが、開口２４ａ及び２４ｂにおいては上記片端側から他端側に向かって全体的に幅が若干であるが漸次低減する逆台形であり、開口１８ａ及び１８ｂと開口２４ａ及び２４ｂとは寸法及び形状が完全に同一ではないが実質的には同一であり、本明細書における語句「同一寸法及び同一形状」は厳密には若干異なるが実質的には同一である場合を含有する）。後に更に言及する如く、操作片４ａ及び４ｂの自由端が相互に接近する方向（押付片６ａ及び６ｂが相互に接近する方向）に操作片４ａ及び４ｂ並びに押付片６ａ及び６ｂが旋回された際に、開口１８ａ及び１８ｂ並びに開口２４ａ及び２４ｂに家畜の乳頭が位置せしめられる。押付片６ａの上記片端部における上記開口２４ａの両側部には、所定間隔をおいて図４において下方に突出する一対の連結部２６ａが形成され、同様に押付片６ｂの上記片端部における上記開口２４ｂの両側部には、所定間隔をおいて図４において上方に突出する一対の連結部２６ｂが形成されている。連結部２４ａ及び２４ｂには図４において左右方向に貫通する孔２８ａ及び２８ｂが形成されている。押付片６ａ及び６ｂの他端部には、幅方向全体に亘って連続して延在する連結部３０ａ及び３０ｂが付設されている。かかる連結部３０ａ及び３０ｂには、図４において左右方向に貫通する孔３２ａ及び３２ｂが形成されている。押付片６ａと押付片６ｂとは、図１及び図２を参照することによって明確に理解されるとおり、所謂線対称形状をなし実質上同一寸法であるのが好適である。
【００１６】
図７を参照することによって明確に理解される如く、押付片６ａ及び６ｂの主部２２ａ及び２２ｂには、上記開口２４ａ及び２４ｂを跨って延在し上記開口２４ａ及び２４ｂを少なくとも部分的に塞ぐ矩形状の柔軟なバックアップシート３４ａ及び３４ｂが配設されているのが好適である。シリコンゴムシートから形成されているのが好適であるバップアップシート３４ａ及び３４ｂは、接着剤の如き適宜の接合手段によって押付片６ａ及び６ｂの主部２２ａ及び２２ｂに接合されている。そしてまた、上記開口２４ａ及び２４ｂの両側部においては、主部２２ａ及び２２ｂの形状に対応した補助片３６ａ及び３６ｂが接着剤の如き適宜の接合手段によってバックアップシート３４ａ及び３４ｂ上に接合されているのが好都合である。所望ならば、主部２２ａ及び２２ｂに補助片３６ａ及び３６ｂを一体的に形成し、主部２２ａ及び２２ｂと補助片３６ａ及び３６ｂとの間の間隙にバックアップシート３４ａ及び３４ｂを装入して、バックアップシート３４ａ及び３４ｂを所要位置に保持することもできる。また、バックアップシート３４ａ及び３４ｂ並びに補助片３６ａ及び３６ｂは省略することもできる（この場合には、後述する保護パッチの保護シートがバックアップシートとして機能する）。
【００１７】
図１乃至図７を参照して説明を続けると、押付片６ａの片端は、一対の連結部２６ａを操作片４ａの連結部２０ａの両側に配置し、一対の連結部２６ａに形成されている孔２８ａ及び連結部２０に形成されている孔（図示していない）に、例えばステンレス鋼製線材でよい適宜の軸部（図示していない）を挿通し、かかる軸部材の離脱を適宜の様式によって防止することによって、操作片４ａの自由端に旋回自在に連結される。同様に、押付片６ｂの片端は、一対の連結部２６ｂを操作片４ｂの連結部２０ｂの両側に配置し、一対の連結部２６ａに形成されている孔２８ａ及び連結部２０に形成されている孔（図示していない）に、例えばステンレス鋼製線材でよい適宜の軸部（図示していない）を挿通し、かかる軸部材の離脱を適宜の様式によって防止することによって、操作片４ａ自由端に旋回自在に連結される。押付片６ａの他端と押付片６ｂの他端とは、押付片６ａの連結部３０ａと押付片６ｂの連結部３０ｂとを隣接して配置し、連結部３０ａに形成されている孔３２ａと連結部３０ｂに形成されている孔３２ｂを通して、例えばステンレス鋼線材で軸部材（図示していない）を挿通し、かかる軸部材の離脱を適宜の様式によって防止することによって、相互に旋回自在に連結される。連結部２０ａ及び２０ｂに対する連結部２６ａ及び２６ｂの連結並びに連結部３０ａと連結部３０ｂとの連結は、別個の軸部材を使用することなく、例えば一方が他方内に旋回自在に嵌入する形態で相互に旋回自在に連結することもできる。
【００１８】
図８及び図９には保護パッチの典型例が図示されている。全体を番号３８で示す図示の保護パッチは弾性シート４０を含んでいる。この弾性シート４０の片面即ち表面上には粘着層４２が配設されており、他面即ち裏面上には保護シート４４が剥離自在に積層されている。更に、粘着層４２は剥離紙４６によって覆われている。図示の保護パッチ３８においては弾性シート４０は矩形状であるが、例えば長手方向中央部の両側部に略円形状の切欠が形成された形状との他の適宜の形状の弾性シートを使用することもできる。保護パッチ３８自体の詳細については、上記特許文献１の記載を引用し、本明細書においては説明を省略する。
【００１９】
上記保護パッチ３８は、家畜の乳頭口を覆うと共に乳頭側面に貼着されて乳頭の所要位置に確実に保持される寸法であることが望まれる。家畜の乳頭の大きさはそれぞれの個体によって異なるため、保護パッチ３８の寸法は適用する家畜の乳頭の大きさに応じて適宜に設定することができる。而して、保護パッチ３８の寸法（図示の場合は保護シート４４が他の構成要素よりも大きく、保護パッチ３８の寸法は保護シート４４の寸法によって規定される）がＡ×Ｂｍｍ（図８）である場合、図２に示す長さＬ、即ち押付片６ａ及び６ｂが相互に実質上面一に延在する状態における押付片６ａ及び６ｂの双方によって規定される長さＬは上記Ａと略同一であり、図３に示す幅Ｗ、即ち押付片６ａ及び６ｂの幅Ｗは上記Ｂと略同一であるのが好適であり、一般的にはＬは５０乃至１５０ｍｍで、Ｗは３０乃至１３０ｍｍ程度であるのが好都合である。また、図２に図示する状態において、操作片１４ａと操作片１４ｂとがなす角度θは２０乃至９０度程度であるのが好都合である。
【００２０】
次に、上述したとおりの貼着補助具２を使用して家畜の乳頭口に保護パッチを貼着する方法について説明する。
【００２１】
最初に、上述したとおりの貼着補助具２を準備し（貼着補助具準備工程）、図１０に図示する如く、一対の操作片４ａ及び４ｂの各々が基端（基端部１０ａ及び１０ｂ）から上方に向かって相互の離隔する方向に傾斜して延在し、押付片６ａ及び６ｂの各々が操作片４ａ及び４ｂの自由端に連結された片端から他端に向かって実質上水平に或いは下方に幾分傾斜して延在する状態に設定する（貼着補助具設定工程）。次いで、剥離紙４６を剥離して粘着層４２を露呈せしめた保護パッチ３８を、粘着層４２を上方に向けた状態で一対の押付片６ａ及び６ｂ上に載置する（保護パッチ載置工程）。しかる後に、図１１に図示する如く、押付片６ａ及び６ｂ上に載置されている保護パッチ３８を、家畜の乳頭４８の先端部、即ち乳頭口５０を含む領域、に押し付け、次いで操作片４ａ及び４ｂの各々を自由端が相合に接近する方向に旋回せしめ、かくして保護パッチ３８を少なくとも部分的に家畜の乳頭４８の周囲に貼着する(貼着工程)。この際には、柔軟なバックアップシート３４が家畜の乳頭４８の形状に応じて適宜に弾性変形され、保護パッチ３８が家畜の乳頭４８の形状に対応して変形される。次に、図１２に図示する如く、操作片の各々を自由端が相互の離隔する方向に旋回せしめると共に家畜の乳頭４８に貼着されている保護パッチ３８から離隔する（貼着補助具離隔工程）。次いで、図１３に図示する如く、家畜の乳頭４８に貼着されている保護パッチ３８の保護シート４４を弾性シート４０から剥離する（保護シート剥離工程）。しかる後に、貼着されている保護パッチ３８を介して家畜の乳頭４８を手で包み込み、かくして乳頭４８を保護パッチ３８で包み込む。
【符号の説明】
【００２２】
２：貼着補助具
４ａ：操作片
４ｂ：操作片
６ａ：押付片
６ｂ：押付片
１８ａ：開口（第一の開口）
１８ｂ：開口（第一の開口）
２４ａ：開口（第二の開口）
２４ｂ：開口（第二の開口）
３８：保護パッチ
４０：弾性シート
４２：粘着層
４４：保護シート
４６：剥離紙
４８：家畜の乳頭
５０：家畜の乳頭口
【図１】
2020005513.tif 000003
【図２】
2020005513.tif 000004
【図３】
2020005513.tif 000005
【図４】
2020005513.tif 000006
【図５】
2020005513.tif 000007
【図６】
2020005513.tif 000008
【図７】
2020005513.tif 000009
【図８】
2020005513.tif 000010
【図９】
2020005513.tif 000011
【図１０】
2020005513.tif 000012
【図１１】
2020005513.tif 000013
【図１２】
2020005513.tif 000014
【図１３】
2020005513.tif 000015